(57)【要約】【課題】インクジェット式のマーキング装置によりゴルフボールの表面に各種マークを印字する際やマーキングに際してゴルフボールの表面にアンダーコートを施す際に、ゴルフボールを保持具に対して簡単且つ容易に所定位置にセットすることの出来る保持具を提供する。【解決手段】ゴルフボールを嵌めて保持するための保持孔が備えられた保持具本体と、この保持具本体の上面にセットされる複数枚の調整板とが備えられ、調整板には、保持具本体の保持孔と対向する調整孔が設けられと共に、調整板が、保持具本体上にセットされた時に前記保持孔に保持したゴルフボールの表面のメインマークが前記調整孔の周縁に沿うような厚さに形成されている。【選択図】図１
2007244669.tif 000002
【特許請求の範囲】
【請求項１】
ゴルフボールを嵌めて保持するための保持孔が備えられた保持具本体と、この保持具本体の上面にセットされる調整板とが備えられ、調整板には、保持具本体の保持孔と対向する調整孔が設けられと共に、調整板が、保持具本体上にセットされた時に前記保持孔に保持したゴルフボールの表面のメインマークが前記調整孔の周縁に沿うような厚さに形成されていることを特徴とするマーキング用ゴルフボール保持具。
【請求項２】
厚さが異なる複数の調整板が供えられていることを特徴とする請求項１に記載のマーキング用ゴルフボール保持具。
【請求項３】
ゴルフボールを嵌めて保持するための保持孔が備えられた保持具本体から成り、保持孔の内径が、ゴルフボールを保持孔に嵌めた時にゴルフボールの表面のメインマークが保持孔の周縁に沿うような大きさに形成されていることを特徴とするマーキング用ゴルフボール保持具。
【請求項４】
保持孔の内径が異なる複数の保持具本体が供えられていることを特徴とする請求項３に記載のマーキング用ゴルフボール保持具。
【発明の詳細な説明】
【技術分野】
【０００１】
本発明は、主としてインクジェット式のマーキング装置によりゴルフボールの表面に各種マークを印字する時やマーキングに際してゴルフボールの表面にアンダーコートを施す時に、ゴルフボールを保持するのに用いるゴルフボール保持具に関する。
【背景技術】
【０００２】
一般に、ゴルフボールには、ボールの製造段階において、メインマークと称される商標などがボール表面の対称位置に一組印刷される他に、ユーザーに応じた任意のマークもその後ボール表面に印刷されることがある。
【０００３】
この任意のマークは、一般にオウンネームマークと称されるものであって、このオウンネームマークの具体例としては、ユーザーの氏名や記号などが挙げられる。そしてオウンネームマークが印刷される場合の数量は、メインマークが印刷されるときの数量に比べてきわめて少ないことから、ゴルフボールヘのオウンネームマークのマーキング方法として、近年では、インクジェットプリンタによるインクジェットプリント方式が採用され始めている。
（特許文献１参照）
以上のインクジェットプリンタによるゴルフボールへのオウンネームマークの印刷に際しては、図９に概略的に示すように、ゴルフボールＢの直径よりも若干小さな保持孔Ｃが複数設けられたプレート状の保持具Ｄを別途用意して、この保持具Ｄの各保持孔ＣにゴルフボールＢを嵌めることで、ゴルフボールＢが保持具Ｄに対して不用意に動かないようにした上で、ゴルフボールＢの表面の所定位置にオウンネームマークをインクジェットプリンタによりプリントするようにしている。
【０００４】
ところで、オウンネームマークは、ゴルフボールＢの所定の位置にプリントする必要があり、ゴルフボールＢの表面には、前記したように、通常、一対のメインマークＭＭがボール表面の対称位置に印刷されていることから、従来は、このメインマークＭＭを目印にして、ゴルフボールＢを保持具Ｄにセットするようにしている。
【０００５】
しかしながら、例えば図９において矢印X−X方向の位置調整は図９における矢印V方向から比較的簡単に行なえるにしても、矢印Y−Y方向の位置調製を行なうためには、図９における矢印V方向からの調整は非常に困難であって、図９における矢印V方向とは異なる図９の矢印W方向からもチェックする必要があり、そのため全体として保持具Dに対するゴルフボールＢのセットが非常に面倒である。
【０００６】
しかもゴルフボールＢにプリントされているメインマークＭＭは、例えばゴルフボールＢのブランドの違いによりその大きさなどが異なっていることから、このメインマークＭＭを目印としてゴルフボールＢの位置合わせを行なうに際して、例えばメインマークＭＭが小さいと、従来の保持具Ｄでは、図９に示すように、ゴルフボールＢを保持具Dの保持孔Cに嵌めた際にそのメインマークＭＭが保持孔Cよりも上方に大きく離れてしまって、このメインマークＭＭを目印として利用することが非常に困難となり、ゴルフボールＢを保持具Dに対して所定位置にセット出来なくなる不具合がある。
【特許文献１】特開２００１−３５３２３４号公報
【発明の開示】
【発明が解決しようとする課題】
【０００７】
本発明は以上の実情に鑑みて開発したものであって、目的とするところは、主としてインクジェット式のマーキング装置によりゴルフボールの表面に各種マークを印字する際やマーキングに際してゴルフボールの表面にアンダーコートを施す際に、ゴルフボールを保持具に対して簡単且つ容易に所定位置にセットすることの出来る保持具を提供することにある。
【課題を解決するための手段】
【０００８】
以上の目的を達成するため、請求項１に記載の発明は、ゴルフボールを嵌めて保持するための保持孔が備えられた保持具本体と、この保持具本体の上面にセットされる調整板とが備えられ、調整板には、保持具本体の保持孔と対向する調整孔が設けられと共に、調整板が、保持具本体上にセットされた時に前記保持孔に保持したゴルフボールの表面のメインマークが前記調整孔の周縁に沿うような厚さに形成されていることを特徴とするものである。
【０００９】
請求項２に記載の発明は、請求項１に記載のマーキング用ゴルフボール保持具において、厚さが異なる複数の調整板が供えられていることを特徴とするものである。
【００１０】
請求項３に記載の発明は、ゴルフボールを嵌めて保持するための保持孔が備えられた保持具本体から成り、保持孔の内径が、ゴルフボールを保持孔に嵌めた時にゴルフボールの表面のメインマークが保持孔の周縁に沿うような大きさに形成されていることを特徴とするものである。
【００１１】
請求項４に記載の発明は、請求項３に記載のマーキング用ゴルフボール保持具において、保持孔の内径が異なる複数の保持具本体が供えられていることを特徴とするものである。
【発明の効果】
【００１２】
請求項１に記載の発明によれば、例えばインクジェット式のマーキング装置によりゴルフボールの表面に各種マークを印字する際やマーキングに際してゴルフボールの表面にアンダーコートを施す際に、ゴルフボールを保持具に対して簡単且つ容易に所定位置にセットすることが出来る。
【００１３】
請求項２に記載の発明によれば、請求項１に記載の発明の効果に加え、保持具本体にセットする調整板を変更するだけで、メインマークの大きさの異なる複数のゴルフボールに対応することが出来る。
【００１４】
請求項３に記載の発明によれば、例えばインクジェット式のマーキング装置によりゴルフボールの表面に各種マークを印字する際やマーキングに際してゴルフボールの表面にアンダーコートを施す際に、ゴルフボールを保持具に対して簡単且つ容易に所定位置にセットすることが出来る。
【００１５】
請求項４に記載の発明によれば、請求項３に記載の発明の効果に加え、保持具本体を適宜変更するだけで、例えばインクジェット式のマーキング装置によりゴルフボールの表面に各種マークを印字する際やマーキングに際してゴルフボールの表面にアンダーコートを施す際に、ゴルフボールを保持具に対して簡単且つ容易に所定位置にセットすることが出来る。
【発明を実施するための最良の形態】
【００１６】
以下、本発明にかかるゴルフボール保持具を図に示す実施形態に基づいて説明する。
【００１７】
図８は、ゴルフボールＢの表面頭部にオウンネームマークＯＭをプリントするためのマーキング装置１の概念図であって、本発明にかかるボール保持具２は、このマーキング装置１によるプリント時に用いられるものである。
【００１８】
まず図８において符号１で示すこのマーキング装置は、インクジェット式プリンタ１０と、このプリンタ１０を制御するためのコンピュータから成るコントローラ１１と      が備えられている。
【００１９】
インクジェット式プリンタ１０は、ボディ１２、ガイドレール１３、インクヘッド１４、スライドテーブル１５、複数個のインク容器１６、ポンプ１７などが備えられている。
【００２０】
ガイドレール１３は、ボディ１２の左壁１２ａと右壁１２ｂとの間に架設され、インクヘッド１４は、ガイドレール１３と連結され、ガイドレール１３に案内されて往復移動するように構成されている。
【００２１】
スライドテーブル１５は、インクヘッド１４の下方に配置され、図２において上下方向に移動するように構成されている。
【００２２】
各インク容器１６には、マゼンタ、イエロー、シアンなどの各種インクが充填されている。そしてインク容器１６にはチューブ１８の長さ方向一端が接続され、またチューブ１８の長さ他端はインクヘッド１４に至っており、このチューブ１８を介してインク容器１６からインクヘッド１４にインクが供給されるようになっている。
【００２３】
尚、インクとしては、油性インクでもよいしあるいは水性インクでもよく、水性インクを用いる場合には、ゴルフボール表面のマーキング部位に予めアンダーコートを施した上で行なうのが好ましい。
【００２４】
本発明にかかるマーキング用ゴルフボール保持具２は、前述のプリンタ１０におけるスライドテーブル１５に載置して用いられたり、あるいはゴルフボールＢの表面にアンダーコートを施す時に用いられるものであって、次にこの保持具２を詳説する。
【００２５】
図１〜図４に示す実施形態の保持具２は、ゴルフボールＢを所定位置に保持するための保持具本体３と、この保持具本体３上にセットされる複数枚の調整板４とから構成されている。
【００２６】
保持具本体３は、略平面視矩形の金属板から形成されている。
【００２７】
保持具本体３には、複数個の保持孔３０が碁盤の目状に形成されており、この保持孔３０は、保持するゴルフボールＢの外径Ｌ１よりも小さな内径Ｌ２の円孔から形成され、この保持孔３０内にゴルフボールＢを載せることで、このゴルフボールＢが保持具本体３に保持されるようになっている。
【００２８】
また保持具本体３の一端部には、保持具本体３に対して調整板４を所定位置にセットするための一対のセットピン３１と、保持具本体３を持ち上げるのに用いる取手３２とが設けられている。
【００２９】
調整板４は、保持具本体３とほぼ同一の平面視矩形に形成されたものであって、この調整板４には、保持具本体３の保持孔３０と対向する平面視円形の複数の調整孔４０が同じく碁盤の目状に形成されている。
【００３０】
この調整孔４０の内径Ｌ３は、保持具本体３の保持孔３０の内径よりも大きくてゴルフボールＢが挿通可能な大きさとしている。
【００３１】
またこの調整板４の一端部には、保持具本体３のセットピン３１が嵌合可能な一対のセット孔４１が設けられている。
【００３２】
この調整板４は、ブランドの異なる複数種類のゴルフボールに対応するように複数枚用意されているのであって、
そしてこれら各調整板４を保持具本体３上にセットした時に、各調整板４に対応したゴルフボールＢのメインマークＭＭの下縁が調整孔４０の周縁に沿うように各調整板４の厚さＴが変えられているのであって、即ち、例えば図４に示すような上下高さの小さいメインマークＭＭ−１が付されたゴルフボールＢ用の調整板４−１は、その厚さＴが厚く、例えば図５に示すような上下高さの比較的大きいメインマークＭＭ−２が付されたゴルフボール用の調整板４−２は、その厚さＴが薄くなっている。
【００３３】
また保持具本体３の上面及び調整板４の上面には、各保持孔３０及び各調整孔４０に対応してゴルフボールＢのセット位置の目印となるセットライン５が刻設されている。
【００３４】
次に以上のマーキング用ゴルフボール保持具２を用いて、前述のマーキング装置１によりオウンネームマークＯＭをゴルフボールＢの頂点部分にプリントするには、先ずオウンネームマークＯＭをプリントしたいゴルフボールＢに対応する調整板４を保持具本体３上にセットするのであって、この時、セットピン３１をセット孔４１に嵌合させることで、調整板４が保持具本体３に対して所定位置に簡単且つ容易にセットされる。
【００３５】
続いてゴルフボールＢを調整板４の各調整孔４０から保持具本体３の各保持孔３０に嵌めると共に、図２に示すように、ゴルフボールＢのメインマークＭＭの下縁が調整板４の調整孔４０の内周縁に沿ってしかもメインマークMMの例えば中央の文字がセットライン５と対応する位置に来るようにゴルフボールBをセットすれば、ゴルフボールBの頂点が上方を向くと共に、ボールBが所望の方向を向くこととなる。
【００３６】
以上のように、各ゴルフボールBをセットした後、この保持具１をインクジェット式プリンタ１０のスライドテーブル２４上にセットするのである。
【００３７】
そしてコントローラ１１の制御により、コントローラ１１の記憶部に記憶させたオウンネームマークOMのイメージデータがプリンタ１０へと送信されると、イメージデータを受信したプリンタ１０が保持具２にセットされたゴルフボールBの頂点部にオウンネームマークOMを順次プリントするのである。
【００３８】
斯くして、以上の保持具１は、特にインクジェット式プリンタ１０が水性インクを利用している場合において、例えば予め別室でゴルフボールBの頂部にアンダーコートを施し、この後、アンダーコートを行なった場所とは異なる場所でプリンタ１０によりオウンネームマークOMをプリントする際などに、アンダーコートされた部位に対して正確にオウンネームマークOMをプリントするのに有効となる。
【００３９】
次に図５〜図７は、第２実施形態を示すものである。
【００４０】
即ち、前述の第１実施形態では、保持具本体３上に調整板４をセットするようにしたが、第２実施形態では、調整板を省略する一方、保持孔３０の大きさが異なる複数枚の保持具本体３から形成したものである。
【００４１】
具体的には、図６及び図７に示すように、メインマークMMの大きさが異なる複数のゴルフボールBをそれぞれ保持孔３０に嵌めた時にゴルフボールBのメインマークMMが保持孔３０の周縁に沿う程度まで嵌合する大きさの内径Ｌ２とした保持孔３０を備えている複数の保持具本体３から形成されている。
【００４２】
斯くして、以上の第２実施形態の保持具によれば、例えば上下方向の長さが大きなオウンネームマークOMが付されたゴルフボールBでは、図６に示すように、内径Ｌ２の小さい保持孔３０が設けられた保持具本体３−１を用い、また例えば上下方向の長さが小さなオウンネームマークOMが付されたゴルフボールBでは、図７に示すように、内径Ｌ２の大きな保持孔３０が設けられた保持具本体３−３を用いるのである。
【００４３】
そして図６、図７に示すように、ゴルフボールＢのメインマークＭＭの下縁が保持具本体３の保持孔３０の内周縁に沿ってしかもメインマークMMの例えば中央の文字がセットライン５と対応する位置に来るようにゴルフボールBをセットすれば、前記した第１実施形態と同様、ゴルフボールBの頂点が上方を向くと共に、ボールBが所望の方向を向くこととなるのであって、以上のように、各ゴルフボールBをセットした後、この保持具１をインクジェット式プリンタ１０のスライドテーブル２４上にセットして、プリンタ１０によりゴルフボールBの頂点部にオウンネームマークOMをプリントするのである。
【００４４】
尚、以上の第２実施形態のものでは、ゴルフボールBにおける保持具本体３上に突出する部分の高さが、使用する保持具本体３の種類により変わることから、具体的には、内径Ｌ２の小さい保持孔３０では、保持具本体３上に突出する部分の高さが大きくなるのに対して、内径Ｌ２の大きい保持孔３０では、保持具本体３上に突出する部分の高さが小さくなることから、プリンタ１０のインクヘッド１４の位置、若しくはプリンタ１０に対する保持具本体３の取り付け位置を保持具本体３の種類に対応して適宜変更出来るようにするのが好ましい。
【図面の簡単な説明】
【００４５】
【図１】本発明にかかるゴルフボール保持具の一実施形態を示す斜視図。
【図２】同、使用状態の一例を示す斜視図
【図３】同、使用状態の一例を示す要部の拡大断面図。
【図４】同、使用状態の一例を示す要部の拡大断面図。
【図５】本発明にかかるゴルフボール保持具の別の実施形態を示す斜視図。
【図６】同、使用状態の一例を示す要部の拡大断面図。
【図７】同、使用状態の一例を示す要部の拡大断面図。
【図８】マーキング装置の説明図。
【図９】従来のゴルフボール保持具の斜視図。
【符号の説明】
【００４６】
１      マーキング装置
２      保持具
３      保持具本体
３０    保持孔
４      調整板
４０    調整孔
B       ゴルフボール
OM     オウンネームマーク
MM    メインマーク
【図１】
2007244669.tif 000003
【図２】
2007244669.tif 000004
【図３】
2007244669.tif 000005
【図４】
2007244669.tif 000006
【図５】
2007244669.tif 000007
【図６】
2007244669.tif 000008
【図７】
2007244669.tif 000009
【図８】
2007244669.tif 000010
【図９】
2007244669.tif 000011